(57)【要約】  本発明はトモシンセシス画像再構成のための装置に関する。第１の投影画像データセットと、第１の投影画像データセットの取得後に取得される第２の投影画像データセットとを提供することが記載され、前記第１の投影画像データセットは第１の投影データを有し、前記第２の投影画像データセットは第２の投影データを有し、第１の投影画像データセットは、身体部分の少なくとも一つの関心領域のトモシンセシス画像の再構成に使用可能であり、第２の投影画像データセットは、身体部分の少なくとも一つの関心領域のトモシンセシス画像の再構成に使用可能である。第１の投影データのサブセットが選択される（２２０）。身体部分の少なくとも一つの関心領域の強調画像が、第１の投影データのサブセットと第２の投影データの少なくとも一つの第１のサブセットを有する第２の投影再構成データとに基づいて再構成される（２３０）。身体部分の少なくとも一つの関心領域の強調画像に関する情報が出力される（２４０）。
2019533541.tif 000002
【特許請求の範囲】
【請求項１】
トモシンセシス画像再構成のための装置であって、
- 入力ユニットと、
- 処理ユニットと、
- 出力ユニットと
を有し、
前記入力ユニットは、第１の投影画像データセットと、前記第１の投影画像データセットの取得後に取得される第２の投影画像データセットとを前記処理ユニットに提供するように構成され、
前記第１の投影画像データセットは第１の投影データを有し、前記第２の投影画像データセットは第２の投影データを有し、
前記第１の投影画像データセットは、身体部分の少なくとも一つの関心領域のトモシンセシス画像の前記再構成に使用可能であり、前記第２の投影画像データセットは、前記身体部分の少なくとも一つの前記関心領域のトモシンセシス画像の前記再構成に使用可能であり、
前記処理ユニットは、前記第１の投影データのサブセットを選択するように構成され、
前記処理ユニットは、前記第２の投影データの少なくとも一つの第１のサブセットを有する第２の投影再構成データ及び前記第１の投影データの前記サブセットに基づいて、前記身体部分の少なくとも一つの前記関心領域の強調画像を再構成するように構成され、
前記第１の投影データの前記サブセットは、存在する少なくとも１つの高コントラストオブジェクトに対応するデータを有するものとして検出される前記第２の投影データからの投影データに基づいて選択され、
前記第１の投影データの前記サブセットは合成順方向投影を生成するために使用され、前記強調画像は前記合成順方向投影及び前記第２の投影データの少なくとも一つの第１のサブセットを有する前記第２の投影再構成データを使用して再構成され、
前記出力ユニットは、前記身体部分の少なくとも一つの前記関心領域の前記強調画像に関する情報を出力するように構成される、
装置。
【請求項２】
前記第１の投影データの前記サブセットは、前記第２の投影データの投影角度と異なる投影角度にある少なくとも１つの投影を有する、請求項１に記載の装置。
【請求項３】
前記第２の投影データは投影角度の範囲にわたって延在し、前記第２の投影データの前記投影角度と異なる投影角度にある少なくとも１つの前記投影は、前記第２の投影データの投影の前記範囲の外側にある投影角度にある、請求項２に記載の装置。
【請求項４】
前記処理ユニットは、前記第２の投影データの前記第１のサブセットと異なる前記第２の投影データの第２のサブセットを決定するように構成され、前記第２の投影データの前記第２のサブセットは前記第２の投影再構成データの部分を形成しない、請求項１乃至３の何れか一項に記載の装置。
【請求項５】
前記強調画像は、前記第１の投影データの前記サブセットを使用して再構成される、請求項１乃至４の何れか一項に記載の装置。
【請求項６】
前記第１の投影画像データと前記第２の投影画像データとの取得の間に、生検装置の部分が前記身体部分に挿入されているので、前記第２の投影画像データは、生検装置の前記部分に関する画像データを有する、請求項１乃至５の何れか一項に記載の装置。
【請求項７】
トモシンセシス画像再構成のためのシステムであって、
- 画像取得ユニットと、
- 請求項1乃至６の何れか一項に記載のトモシンセシス画像再構成のための装置と
を有し、
前記画像取得ユニットは、前記第１の投影画像データセットと前記第２の投影画像データとを提供するように構成され、
前記出力ユニットは、前記強調画像を出力するように構成される、
システム。
【請求項８】
トモシンセシス画像再構成のための方法であって、
ａ）第１の投影画像データセット及び前記第１の投影画像データセットの取得後に取得される第２の投影画像データセットを提供するステップであって、前記第１の投影画像データセットは第１の投影データを有し、前記第２の投影画像データセットは第２の投影データを有し、前記第１の投影画像データセットは、身体部分の少なくとも一つの関心領域のトモシンセシス画像の前記再構成に使用可能であり、前記第２の投影画像データセットは、前記身体部分の少なくとも一つの前記関心領域のトモシンセシス画像の前記再構成に使用可能である、ステップと、
ｂ）前記第１の投影データのサブセットを選択するステップであって、前記第１の投影データの組込みサブセットが前記第１の投影データの前記サブセットに基づく、ステップ、及び存在する少なくとも１つの高コントラストオブジェクトに対応するデータを有するものとして検出される前記第２の投影データからの投影データに基づいて前記第１の投影データの前記サブセットを選択するステップと、
ｃ）前記第１の投影データの組込みサブセットと前記第２の投影データの少なくとも一つの第１のサブセットを有する第２の投影再構成データとに基づいて、前記身体部分の少なくとも一つの前記関心領域の強調画像を再構成するステップと、
ｄ）前記身体部分の少なくとも一つの前記関心領域の前記強調画像に関する情報を出力するステップと
を有する、方法。
【請求項９】
ステップｃ）は、前記第２の投影データの前記第１のサブセットと異なる前記第２の投影データの第２のサブセットを決定するステップを有し、前記第２の投影データの前記第２のサブセットは前記第２の投影再構成データの部分を形成しない、請求項８に記載の方法。
【請求項１０】
プロセッサによって実行されるとき、請求項８乃至９の何れか一項に記載の方法を実行するように構成される、請求項１乃至７の何れか一項に記載の装置を制御するためのコンピュータプログラム要素。
【請求項１１】
請求項１０に記載のプログラム要素を記憶するコンピュータ可読媒体。
【発明の詳細な説明】
【技術分野】
【０００１】
本発明は、トモシンセシス画像再構成装置、トモシンセシス画像再構成システム、及びトモシンセシス画像再構成の方法、ならびにコンピュータプログラム要素及びコンピュータ可読媒体に関する。
【背景技術】
【０００２】
デジタル乳房トモシンセシスは、マンモグラフィースクリーニング及び診断追跡調査のための増えるモダリティである。診断モダリティとして追加的に価値を付加するために、ベンダはプラットフォーム機能としてトモシンセシス誘導生検を追加することを提案している。生検針を使用して、生検すべき病変の位置を特定するために乳房の生来のトモシンセシス画像を取得した後に、専用生検装置（すなわち患者支持体に取り付けられる生検針ホルダ内の生検針）を用いて所望の位置で乳房組織に穿刺する。次に、針の先端が生検されるべき病変に対して実際に所望の位置（検証画像）にあることを確認するために、針が予想される位置にある間に、針の先端の位置に関する正確な３Ｄ情報を伝える画像の他のセット（すなわち、トモ画像、又は互いに対して十分に角度が付けられる２Ｄ画像のセット）の検証取得が実行される。その後、最後に組織サンプルを針の先端の位置から採取する。
【０００３】
しかしながら、そのようなトモシンセシスイメージングにおいては、針の存在に起因するアーチファクトがある。針はコントラストの高いオブジェクトであり、周囲の画像領域にストリークアーチファクトを発生させる。
【０００４】
トモシンセシスシステムはそのような影響を強く受ける可能性がある。コントラスト対象物によって影響されない潜在的に利用可能な投影データが実際には取得ジオメトリの特性のために欠けている場合、これは特に重大になり得る。
【０００５】
切頭投影による視野の制限も、ブーストトモシンセシス用途に対する典型的な制限であり、患者の解剖学的構造のサブ領域が、診断顕著性のためにそのサブ領域内の構造をよりよく視覚化するために、（例えば、より高い線量及び／又はより高い断層撮影角度を用いた）専用のパラメータ化によりイメージングされる。そのような専用の取得は、正しいサブ領域を決定するために常に標準的な取得によって先行される。
【０００６】
ＵＳ２０１４００５０２９５Ａ１は、取得領域の少なくとも１つの関心部分領域を示す三次元ターゲット画像データセットを決定する方法を記載している。
【発明の概要】
【発明が解決しようとする課題】
【０００７】
したがって、トモシンセシス画像再構成のための改良された装置を有することは有利であろう。
【課題を解決するための手段】
【０００８】
本発明の目的は、独立請求項の主題によって解決され、さらなる実施形態は従属請求項に組み込まれる。本発明の以下に記載される態様は、トモシンセシス画像再構成のための装置、トモシンセシス画像再構成のためのシステム、及びトモシンセシス画像再構成のための方法、ならびにコンピュータプログラム要素及びコンピュータ可読媒体にも適用されることに留意されたい。
【０００９】
第１の態様によれば、
- 入力ユニットと、
- 処理ユニットと、
- 出力ユニットと
を有する、トモシンセシス画像再構成のための装置が提供される。
【００１０】
入力ユニットは、第１の投影画像データセットと、第１の投影画像データセットの取得後に取得される第２の投影画像データセットとを処理ユニットに提供するように構成される。第１の投影画像データセットは、第１の投影データを有し、第２の投影画像データセットは第２の投影データを有する。第１の投影画像データセットは、身体部分の少なくとも一つの関心領域のトモシンセシス画像の再構成に使用可能であり、第２の投影画像データセットは身体部分の少なくとも一つの関心領域のトモシンセシス画像の再構成に使用可能である。処理ユニットは、第１の投影データのサブセットと第２の投影データの少なくとも一つの第１のサブセットを有する第２の投影再構成データとに基づいて、身体部分の少なくとも一つの関心領域の強調画像を再構成するように構成される。第１の投影データのサブセットは、存在する少なくとも１つの高コントラストオブジェクトに対応するデータを有するものとして検出される第２の投影データからの投影データに基づいて選択される。第１の投影データのサブセットは合成順方向投影を生成するために使用され、強調画像は合成順方向投影と第２の投影データの少なくとも第１のサブセットを有する第２の投影再構成データとを使用して再構成される。出力ユニットは、身体部分の少なくとも関心領域の強調画像に関する情報を出力するように構成される。
【００１１】
このようにして、トモシンセシス誘導生検中に取得される検証画像を改善することができる。例えば、生検針が存在する前にネイティブ画像内で取得される情報が検証の視野を拡大するために、及び／又は検証画像中の切断アーチファクトを除去するために、及び／又は検証画像内の高コントラストのアーチファクトを除去するために使用されるので、生検針及びその周辺組織はより正確に視覚化され得る。これは、ネイティブ画像から検証画像に利用可能な投影データを追加することによって、及び／又は検証画像内の投影データをネイティブ（又はプレ画像）からのデータで置き換えることによって達成される。
【００１２】
一例では、第１の投影データのサブセットは、第２の投影データの投影角度と異なる投影角度にある少なくとも１つの投影を有する。
【００１３】
このようにして、第１の投影データ（ネイティブ画像データ）内の情報を使用して、第２の投影データ（検証画像データ）内の情報を補強することができる。
【００１４】
一例では、第２の投影データは投影角度の範囲にわたって延在し、第２の投影データの投影角度と異なる投影角度にある少なくとも１つの投影は、第二投影データの投影の範囲の外側にある投影角度にある。
【００１５】
言い換えれば、ネイティブ画像データは、検証画像データよりも広い視野にわたって延在し、これを使用して、検証画像内の視野を拡大することができる。このようにして、結果として得られる再構成画像は、より少ないトランケーションアーチファクトを含むことになる。
【００１６】
一例では、処理ユニットは、第２の投影データの第１のサブセットと異なる第２の投影データの第２のサブセットを決定するように構成され、第２の投影データの第２のサブセットは第２の投影再構成データの一部を形成しない。
【００１７】
言い換えれば、検証画像内の特定の投影データが決定され、これらは再構成画像が提供される場合には処理されない。このようにして、「汚染される」投影データを処理から除外することができる。
【００１８】
一例では、第１の投影データのサブセットは、第２の投影データの第２のサブセットの投影に対応する投影を有する第１の投影データの投影を有する。
【００１９】
言い換えれば、（例えば生検針に関する画像データで汚染されるため）検証画像用のデータセット内の投影が選択され、これらのデータは検証画像の前に取得されるネイティブ画像からの対応するデータと置き換えられる。
【００２０】
一例では、強調画像は、第１の投影データのサブセットを使用して再構成される。
【００２１】
言い換えれば、ネイティブ画像からの実際の投影は、検証画像を再構成する際に使用される。
【００２２】
合成投影は、順投影によってネイティブ画像から生成される。次いで、この追加のデータは、検証画像データと共に処理ユニット（又は再構成ユニット）に提示されて、ボクセルについての破損していないデータをさらに充実させる。例えば、コントラストオブジェクトによって影響されない潜在的に利用可能な投影データが、センサ間のギャップによって影響される取得ジオメトリの特性のために実際に欠けている場合にこれは起こり得る。
【００２３】
一例では、第１の投影画像データと第２の投影画像データとの取得の間に、生検装置の一部が身体部分に挿入されており、その結果、第２の投影画像データは生検装置の一部に関する画像データを有する。 
【００２４】
第２の態様によれば、トモシンセシス画像再構成のためのシステムであって、
- 画像取得ユニットと、
- 第１の態様によるトモシンセシス画像再構成のための装置と
を有する、システムが提供される。画像取得ユニットは、第１の投影画像データセットと第２の投影画像データとを提供するように構成される。出力ユニットは、強調画像を出力するように構成される。
【００２５】
第３の態様によれば、トモシンセシス画像再構成のための方法であって、
【００２６】
ａ）第１の投影画像データセット及び第１の投影画像データセットの取得後に取得される第２の投影画像データセットを提供するステップであって、第１の投影画像データセットは第１の投影データを有し、第２の投影画像データセットは第２の投影データを有し、第１の投影画像データセットは、身体部分の少なくとも一つの関心領域のトモシンセシス画像の再構成に使用可能であり、第２の投影画像データセットは、身体部分の少なくとも一つの関心領域のトモシンセシス画像の再構成に使用可能である、ステップと、
【００２７】
ｂ）第１の投影データのサブセットを選択するステップと、
【００２８】
ｃ）第１の投影データのサブセットと第２の投影データの少なくとも一つの第１のサブセットを有する第２の投影再構成データとに基づいて、身体部分の少なくとも一つの関心領域の強調画像を再構成するステップと、
【００２９】
ｄ）身体部分の少なくとも一つの関心領域の強調画像に関する情報を出力するステップと
を有する、方法が提供される。
【００３０】
一例では、ステップｃ）は、第２の投影データの第１のサブセットと異なる第２の投影データの第２のサブセットを決定するステップを有し、第２の投影データの第２のサブセットは第２の投影再構成データの部分を形成しない。
【００３１】
一例では、ステップｂ）は、存在する少なくとも１つの高コントラストオブジェクトに対応するデータを有するものとして検出される第２の投影データからの投影データに基づいて第１の投影データのサブセットを選択するステップを有する。
【００３２】
他の態様によれば、コンピュータプログラム要素において処理ユニットによって実行され、前述の方法ステップを実行するように適合される、前述のコンピュータプログラム要素制御装置が提供される。
【００３３】
他の態様によれば、前述のように記憶されるコンピュータ要素を有するコンピュータ可読媒体が提供される。
有利には、上記の態様及び例のいずれかによって提供される利益は、他のすべての態様及び例に等しく当てはまり、その逆も同様である。
【００３４】
上記の態様及び例は、以下に記載される実施形態を参照して明らかになるであろう。
【００３５】
例示的な実施形態は、添付の図面を参照して以下に説明される。
【図面の簡単な説明】
【００３６】
【図１】トモシンセシス画像再構成のための装置の一例の概略構成を示す。
【図２】トモシンセシス画像再構成のためのシステムの一例の概略構成を示す。
【図３】トモシンセシス画像再構成のための方法を示す。
【図４】トモシンセシス画像再構成のための装置、システム及び方法のための針からのストリークアーチファクトの低減のための例の概略図を示す。
【発明を実施するための形態】
【００３７】
図１は、トモシンセシス画像再構成のための装置１０の一例を示す。装置１０は、入力ユニット２０、処理ユニット３０、及び出力ユニット４０を有する。入力ユニット２０は、処理ユニットに、第１投影画像データセット及び第１の投影画像データセットの取得後に取得される第２投影画像データセットを提供するように構成され、これは有線又は無線通信を介して行われる。第１の投影画像データセットは第１の投影データを有し、第２の投影画像データセットは第２の投影データを有する。第１の投影画像データセットは、身体部分の少なくとも一つの関心領域のトモシンセシス画像の再構成に使用可能であり、第２の投影画像データセットは、身体部分の少なくとも一つの関心領域のトモシンセシス画像の再構成に使用可能である。処理ユニット３０は、第１の投影データのサブセットを選択するように構成される。処理ユニット３０は、第１の投影データのサブセットと第２の投影データの少なくとも一つの第１のサブセットを有する第２の投影再構成データとに基づいて、身体部分の少なくとも一つの関心領域の強調画像を再構成するように構成される。出力ユニット４０は、身体部分の少なくとも一つの関心領域の強調画像に関する情報を出力するように構成される。
【００３８】
一例によれば、第１の投影データのサブセットは、第２の投影データの投影角度と異なる投影角度にある少なくとも１つの投影を有する。
【００３９】
一例によれば、第２の投影データは投影角度の範囲にわたって延在する。その場合、第２の投影データの投影角度と異なる投影角度にある少なくとも１つの投影は、第２の投影データの投影の範囲外の投影角度にあることができる。
【００４０】
一例によれば、処理ユニット３０は、第２の投影データの第１のサブセットと異なる第２の投影データの第２のサブセットを決定するように構成される。その場合、第２の投影データの第２のサブセットは、第２の投影再構成データの一部を形成しない。
【００４１】
一例によれば、第１の投影データのサブセットは、第２の投影データの第２のサブセットの投影に対応する投影を有する第１の投影データの投影を有する。
【００４２】
一例によれば、第１の投影データのサブセットは、存在する少なくとも１つの高コントラストオブジェクトに対応するデータを有するものとして検出される第２の投影データからの投影データに基づいて選択される。
【００４３】
一例によれば、強調画像は第１の投影データのサブセットを用いて再構成される。
【００４４】
一例によれば、第１の投影データのサブセットは合成順方向投影を生成するために使用される。次に、強調画像は、合成順方向投影と、第２の投影データの少なくとも一つの第１のサブセットを有する第２の投影再構成データとを使用して、再構成されることができる。
【００４５】
一例によれば、第１の投影画像データと第２の投影画像データとの取得の間に、生検装置の一部が身体部分に挿入されている。第２の投影画像データは、生検装置の一部に関する画像データを有することができる。
【００４６】
一例では、生検装置の一部は生検針である。
【００４７】
図２は、トモシンセシス画像再構成のためのシステム１００の一例を示す。システム１００は、画像取得ユニット１１０と、図１に関して説明したトモシンセシス画像再構成のための装置１０とを備える。画像取得ユニット１１０は、第１の投影画像データセット及び第２の投影画像データを提供するように構成される。出力部４０は、強調画像を出力するように構成される。
【００４８】
図３は、基本ステップにおけるトモシンセシス画像再構成のための方法２００を示す。方法２００は、
【００４９】
ステップａ）とも呼ばれる提供ステップ２１０において、第１の投影画像データセットと、第１の投影画像データセットの取得後に取得される第２の投影画像データセットとを提供するステップであって、第１の投影画像データセットは、第１の投影データを有し、第２の投影画像データセットは、第２の投影データを有し、第１の投影画像データセットは、身体部分の少なくとも一つの関心領域のトモシンセシス画像の再構成に使用可能であり、第２の投影画像データセットは、身体部分の少なくとも一つの関心領域のトモシンセシス画像の再構成に使用可能である、ステップと、
【００５０】
ステップｂ）とも呼ばれる選択ステップ２２０において、第１の投影データのサブセットを選択するステップと、
【００５１】
ステップｃ）とも呼ばれる再構成ステップ２３０において、第１の投影データのサブセットと第２の投影データの少なくとも一つの第１のサブセットを有する第２の投影再構成データとに基づいて、身体部分の少なくとも一つの関心領域の強調画像を再構成するステップと、
【００５２】
ステップｄ）とも呼ばれる出力ステップ２４０において、身体部分の少なくとも一つの関心領域の強調画像に関する情報を出力するステップと
を有する。
【００５３】
一例では、ステップａ）において、提供するステップは入力ユニット２０から処理ユニット３０へのものである。
【００５４】
一例では、ステップｂ）において、選択するステップは処理ユニット３０によって実行される。
【００５５】
一例では、ステップｃ）において、再構成するステップは処理ユニットによって実行される。
【００５６】
一例では、ステップｄ）の一例では、出力するステップは出力ユニット４０によって実行される。
【００５７】
一例では、第１の投影データのサブセットは、第２の投影データの投影角度と異なる投影角度にある少なくとも１つの投影を有する。
【００５８】
一例では、第１の投影データは投影角度の範囲にわたって延在し、第２の投影データの投影角度と異なる投影角度にある少なくとも１つの投影は、第２の投影データの投影の範囲外の投影角度にある。
【００５９】
一例によれば、ステップｃ）は、第２の投影データの第１のサブセットと異なる第２の投影データの第２のサブセットを決定するステップ２３２を有し、第２の投影データの第２のサブセットは第２の投影再構成データの一部を形成しない。
【００６０】
一例では、第１の投影データのサブセットは、第２の投影データの第２のサブセットの投影に対応する投影を有する第１の投影データの投影を有する。
【００６１】
一例によれば、ステップｂ）は、存在する少なくとも１つの高コントラストオブジェクトに対応するデータを有するものとして検出される第２の投影データからの投影データに基づいて第１の投影データのサブセットを選択するステップ２２２を有する。
【００６２】
一例では、第１の投影データの組込みサブセットは、第１の投影データのサブセットと同じである。
【００６３】
一例では、第１の投影データの組込みサブセットは、第１の投影データのサブセットに基づいて合成順方向投影として生成される。
【００６４】
一例では、第１の投影画像データと第２の投影画像データとの取得の間に、生検装置の一部が身体部分に挿入されているので、第２の投影画像データは生検装置の一部に関する画像データを有する。
【００６５】
トモシンセシス画像再構成のための装置、システム及び方法は、図４に関してさらに詳細に説明される。
【００６６】
上記のように、トモシンセシス誘導生検の標準的なプロシージャは、
【００６７】
生検されるべき病変の位置を特定するために、乳房の生来のトモシンセシス画像を取得し、
【００６８】
次に、専用の生検装置（すなわち、患者支持体に取り付けられる生検針ホルダ内の生検針）で乳房組織を所望の位置に穿刺し、
【００６９】
次に、針の先端が生検されるべき病変に関して実際に所望の位置にあることを確認するために（検証画像）、針が予想される位置にある間に、針の先端の位置に関する正確な３Ｄ情報を伝達する画像の他のセット（すなわち、トモ画像、又は互いに対して十分に角度が付けられた２Ｄ画像のセット）を取得し、
【００７０】
最後に、針の先端の位置から組織サンプルを採取する
ことである。
【００７１】
また、上述したように、ブーストトモシンセシスは、患者の解剖学的構造のサブ領域が、診断的な顕著さのためにそのサブ領域の構造をよりよく視覚化するために、専用のパラメータ化で（例えば、より高い線量及び／又はより高い断層撮影角度で）撮像される技術である。そのような専用の取得は常に、正しいサブ領域を決定するために標準的な取得によって先行される。
【００７２】
図１乃至図３に関して説明され、図４に関してさらに説明されるトモシンセシス画像再構成のための装置、システム及び方法は、これらのプロセスにおける画像再構成に関連する問題に対処する。
【００７３】
図４は、針からのストリークアーチファクトを低減するための詳細なワークフローを概略的に示す。本質的に、上述のステップ３では、破損した投影（右側の画像には針と相互作用する投影として示される）からの寄与は、（左上と右下にある2つの投影として左手の画像に示される）上記のステップ１で得られた投影からの対応する破損していない投影によって置き換えられる。
【００７４】
言い換えれば、ステップ（１）のネイティブトモシンセシス取得からの適切な生画像データは、ステップ（３）において検証画像の再構成のために使用されるデータを充実させるために使用される。このようにして、たとえステップ（３）における取得が実質的により小さな範囲に制限されていても、大きな視野及び切捨てアーチファクトのない再構成が得られることができる。針の存在に起因するアーチファクトに関して、ステップ（１）からの対応する破損していないデータの使用を通して、ステップ（３）からの破損したデータの寄与が針のないボクセルの再構成のために選択的に置き換えられる。
【００７５】
一般的なシステムは、
【００７６】
トモシンセシスイメージングシステム（例えば、Philips   MicroDose   S-Series）と、
【００７７】
針が定位置にない乳房の生トモシンセシスイメージングデータ（別名投影データ）と、
【００７８】
針が所定の位置にある（ただし、例えばカバレッジが減少している）乳房の生トモシンセシスイメージングデータ（別名投影データ）と、
【００７９】
投影データからトモシンセシス画像を作成するように構成されるトモシンセシス再構成ユニットと
を有する。
【００８０】
一実施形態では、ステップ（３）からの投影データ及びステップ（１）からの追加の投影データを備える再構成ユニットであって、ステップ（３）で得られた投影の範囲外にあり、このデータからトモシンセシス画像を再構成する再構成ユニットが提示される。結果として得られる画像は、追加のデータのために、少ないトランケーションアーチファクトを含む（それぞれより広い視野を有する）。さらなる利点として、より少ない線量が患者に適用され、ステップ（３）の取得は、より大きな断層撮影角度に対して最適化され得る。検証画像の診断値は、病変の周囲の十分に広い領域における周囲の組織の可視性にも依存するとき、視野のそのようなアーチファクトのない延在は特に有益である。
【００８１】
この実施形態は、ブーストトモシンセシス用途にも適用可能である。
【００８２】
他の実施形態では、ステップ（３）からのデータとステップ（１）からの対応する投影データとを備える再構成ユニットが提示される。再構成ユニットは、高コントラストのオブジェクトによって汚染される投影データを検出するための手段を備えており、それぞれのデータをステップ（１）からの対応するデータで置き換えることができる。診断品質がアーチファクトによって閉塞されていない針の近くの微妙な組織構造に依存する場合、検証画像のそのようなアーチファクトのない強調は特に有益である。
【００８３】
本発明の変形において、合成投影は、順投影によってステップ（１）の画像から生成されてもよい。次いで、この追加のデータは、ボクセルのための破損していないデータをさらに強化するために、ステップ（３）からのデータと共に再構成ユニットに提供される。これは、例えば、コントラストオブジェクトによって影響されない潜在的に利用可能な投影データが、センサ間のギャップによって影響されるような、取得ジオメトリの特性のために実際に欠けている場合に起こり得る。
【００８４】
特定の機能について、さらに詳しく説明する。
高コントラストオブジェクトで汚染される投影データの検出
【００８５】
トモシンセシスボリュームスタック内の高コントラストオブジェクトの位置は、しきい値ベースのセグメンテーションなどの単純な画像解析手段によって識別することができ、（例えば、描かれたオブジェクトに関する幾何学データを含むデータベースから）オブジェクトに関する先験的な知識によってさらに向上させることができる。真の高コントラストオブジェクトのそのようなセグメンテーションが与えられると、それが汚染されるか、また、どの寄与が汚染されるのかについて、ボリュームスタックの各ボクセルに対するトモシンセシス収集の収集ジオミトリから直接計算することができる（図4参照）。
【００８６】
置換されるべき汚染投影の置換、針が見えるようにする投影の維持
【００８７】
ネイティブ取得は、同じ圧迫状態にある乳房の検証取得の直前に行われる。したがって、乳房組織は動いていないこと、及び汚染される寄与ごとに、置換として使用することができるネイティブスキャンからの対応する寄与があると仮定することができる。この置換は、高コントラストのオブジェクトで汚染されると識別されるボリュームスタック内のボクセルにのみ適用される。それ自体高コントラストオブジェクトとして識別されるボクセル（上記参照）は置換を受けない。したがって、針は完全に見えるようになる。
【００８８】
ネイティブ画像からの投影の順投影による合成投影の生成
【００８９】
順投影の生成は再構成における標準的なプロシージャである。ここで、ボリュームスタックからの減衰値は線（投影方向）に沿って累積される。通常、これは取得の本来の方向性に沿って行われる。合成投影とは、取得に固有のものではない方向に沿って順投影を作成することを指す。 MicroDoseシステムの場合、これは、検出器のギャップが原因でデータが収集で生成されない場合に発生する。
【００９０】
他の例示的な実施形態では、適切なシステム上で、前述の実施形態のうちの１つによる方法の方法ステップを実行するように構成されることを特徴とするコンピュータプログラム又はコンピュータプログラム要素が提供される。
【００９１】
したがって、コンピュータプログラム要素はコンピュータユニットに格納されてもよく、これも実施形態の一部であり得る。この計算ユニットは、上述した方法のステップの実行を実行又は誘導するように構成することができる。さらに、上述の装置の構成要素を動作させるように構成することができる。計算ユニットは、自動的に動作するように、及び／又はユーザのオーダを実行するように構成することができる。コンピュータプログラムは、データプロセッサの作業メモリにロードすることができる。したがって、データプロセッサは、前述の実施形態のうちの１つによる方法を実行するように装備され得る。
【００９２】
本発明のこの例示的な実施形態は、最初から本発明を使用するコンピュータプログラムと、更新によって既存のプログラムを本発明を使用するプログラムに変えるコンピュータプログラムの両方を網羅する。
【００９３】
さらに、コンピュータプログラム要素は、上述の方法の例示的実施形態のプロシージャを満たすために必要なすべてのステップを提供することができる可能性がある。
【００９４】
本発明のさらなる例示的な実施形態によれば、ＣＤ‐ＲＯＭのようなコンピュータ可読媒体が提示され、そのコンピュータ可読媒体はその上に記憶されるコンピュータプログラム要素を有し、そのコンピュータプログラム要素は前のセクションで説明される。
【００９５】
コンピュータプログラムは、他のハードウェアと共に又はその一部として供給される光記憶媒体又は固体媒体などの適切な媒体に格納及び／又は配布することができるが、インターネットなどを介して他の形態で配布することもできる。あるいは他の有線又は無線の電気通信システム。
【００９６】
しかしながら、コンピュータプログラムは、ワールドワイドウェブのようなネットワークを介して提示されてもよく、そのようなネットワークからデータプロセッサのワーキングメモリにダウンロードされてもよい。本発明のさらなる例示的実施形態によれば、コンピュータプログラム要素をダウンロード可能にするための媒体が提供され、そのコンピュータプログラム要素は、本発明の前述の実施形態のうちの１つによる方法を実行するように構成される。
【００９７】
本発明の実施形態は、異なる主題を参照して説明されることに留意しなければならない。特に、いくつかの実施形態は方法タイプの請求項を参照して説明されるが、他の実施形態はデバイスタイプの請求項を参照して説明される。しかしながら、当業者は、特に断らない限り、１つのタイプの主題に属する特徴の任意の組み合わせに加えて、異なる主題に関連する特徴間の任意の組み合わせも考慮されるという上記及び以下の説明から集まるであろう。本願と共に開示される。ただし、すべての機能を組み合わせて、機能の単純な合計以上の相乗効果を得ることができる。
【００９８】
本発明を図面及び前述の説明において詳細に図示及び説明してきたが、そのような図示及び説明は例示的又は例証的であり、限定的ではないと見なされるべきである。 本発明は開示される実施形態に限定されない。 開示される実施形態に対する他の変形は、図面、開示、及び従属請求項の検討から、請求される発明を実施する際に当業者によって理解され達成され得る。
【００９９】
請求項において、単語「有する」は他の要素又はステップを排除するものではなく、不定冠詞「ａ」又は「ａｎ」は複数を排除するものではない。 単一のプロセッサ又は他のユニットが特許請求の範囲に再引用されるいくつかの項目の機能を果たすことができる。 特定の手段が相互に異なる従属請求項に再引用されるという単なる事実は、これらの手段の組み合わせが有利に使用されることができないことを示すものではない。 請求項中の如何なる参照符号も範囲を限定するものとして解釈されるべきではない。
【図１】
2019533541.tif 000003
【図２】
2019533541.tif 000004
【図３】
2019533541.tif 000005
【図４】
2019533541.tif 000006
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
トモシンセシス画像再構成のための装置であって、
- 入力ユニットと、
- 処理ユニットと、
- 出力ユニットと
を有し、
前記入力ユニットは、第１の投影画像データセットと、前記第１の投影画像データセットの取得後に取得される第２の投影画像データセットとを前記処理ユニットに提供するように構成され、
前記第１の投影画像データセットは第１の投影データを有し、前記第２の投影画像データセットは第２の投影データを有し、
前記第１の投影画像データセットは、身体部分の少なくとも一つの関心領域のトモシンセシス画像の前記再構成に使用可能であり、前記第２の投影画像データセットは、前記身体部分の少なくとも一つの前記関心領域のトモシンセシス画像の前記再構成に使用可能であり、
前記処理ユニットは、前記第１の投影データのサブセットを選択するように構成され、
前記処理ユニットは、前記第２の投影データの少なくとも一つの第１のサブセットを有する第２の投影再構成データ及び前記第１の投影データの前記サブセットに基づいて、前記身体部分の少なくとも一つの前記関心領域の強調画像を再構成するように構成され、
前記第１の投影データの前記サブセットは、存在する少なくとも１つの高コントラストオブジェクトに対応するデータを有するものとして検出される前記第２の投影データからの投影データに基づいて選択され、
前記第１の投影画像データと前記第２の投影画像データとの取得の間に、生検装置の部分が前記身体部分に挿入されているので、前記第２の投影画像データは、生検装置の前記部分に関する画像データを有し、
前記身体部分は、前記第１の投影画像データの取得と前記第２の投影画像の取得との間、同じ位置にあり、
前記出力ユニットは、前記身体部分の少なくとも一つの前記関心領域の前記強調画像に関する情報を出力するように構成される、
装置。
【請求項２】
前記第１の投影データの前記サブセットは、前記第２の投影データの投影角度と異なる投影角度にある少なくとも１つの投影を有する、請求項１に記載の装置。
【請求項３】
前記第２の投影データは投影角度の範囲にわたって延在し、前記第２の投影データの前記投影角度と異なる投影角度にある少なくとも１つの前記投影は、前記第２の投影データの投影の前記範囲の外側にある投影角度にある、請求項２に記載の装置。
【請求項４】
前記処理ユニットは、前記第２の投影データの前記第１のサブセットと異なる前記第２の投影データの第２のサブセットを決定するように構成され、前記第２の投影データの前記第２のサブセットは前記第２の投影再構成データの部分を形成しない、請求項１乃至３の何れか一項に記載の装置。
【請求項５】
前記強調画像は、前記第１の投影データの前記サブセットを使用して再構成される、請求項１乃至４の何れか一項に記載の装置。
【請求項６】
前記第１の投影データの前記サブセットは合成順方向投影を生成するために使用され、前記強調画像は前記合成順方向投影及び前記第２の投影データの少なくとも一つの第１のサブセットを有する前記第２の投影再構成データを使用して再構成される、請求項1乃至５の何れか一項に記載の装置。
【請求項７】
トモシンセシス画像再構成のためのシステムであって、
- 画像取得ユニットと、
- 請求項1乃至６の何れか一項に記載のトモシンセシス画像再構成のための装置と
を有し、
前記画像取得ユニットは、前記第１の投影画像データセットと前記第２の投影画像データとを提供するように構成され、
前記出力ユニットは、前記強調画像を出力するように構成される、
システム。
【請求項８】
トモシンセシス画像再構成のための方法であって、
ａ）第１の投影画像データセット及び前記第１の投影画像データセットの取得後に取得される第２の投影画像データセットを提供するステップであって、前記第１の投影画像データセットは第１の投影データを有し、前記第２の投影画像データセットは第２の投影データを有し、前記第１の投影画像データセットは、身体部分の少なくとも一つの関心領域のトモシンセシス画像の前記再構成に使用可能であり、前記第２の投影画像データセットは、前記身体部分の少なくとも一つの前記関心領域のトモシンセシス画像の前記再構成に使用可能である、ステップと、
ｂ）前記第１の投影データのサブセットを選択するステップであって、前記第１の投影データの組込みサブセットが前記第１の投影データの前記サブセットに基づく、ステップ、及び存在する少なくとも１つの高コントラストオブジェクトに対応するデータを有するものとして検出される前記第２の投影データからの投影データに基づいて前記第１の投影データの前記サブセットを選択するステップと、
ｃ）前記第１の投影データの組込みサブセットと前記第２の投影データの少なくとも一つの第１のサブセットを有する第２の投影再構成データとに基づいて、前記身体部分の少なくとも一つの前記関心領域の強調画像を再構成するステップであって、
前記第１の投影画像データと前記第２の投影画像データとの取得の間に、生検装置の部分が前記身体部分に挿入されているので、前記第２の投影画像データは、生検装置の前記部分に関する画像データを有し、
前記身体部分は、前記第１の投影画像データの取得と前記第２の投影画像の取得との間、同じ位置にある、
ステップと、
ｄ）前記身体部分の少なくとも一つの前記関心領域の前記強調画像に関する情報を出力するステップと
を有する、方法。
【請求項９】
ステップｃ）は、前記第２の投影データの前記第１のサブセットと異なる前記第２の投影データの第２のサブセットを決定するステップを有し、前記第２の投影データの前記第２のサブセットは前記第２の投影再構成データの部分を形成しない、請求項８に記載の方法。
【請求項１０】
プロセッサによって実行されるとき、請求項８乃至９の何れか一項に記載の方法を実行するように構成される、請求項１乃至７の何れか一項に記載の装置を制御するためのコンピュータプログラム要素。
【請求項１１】
請求項１０に記載のプログラム要素を記憶するコンピュータ可読媒体。
【国際調査報告】
2019533541.tif 000007
2019533541.tif 000008
2019533541.tif 000009